(57)【要約】【目的】カメラＩＤを設定する。【構成】マスタ・カメラ１とスレーブ・カメラ１Ａとを前面が対向するように配置する。それぞれのカメラ１，１Ａにおいてそれぞれに固有のカメラＩＤを発行する。カメラＩＤを表すように，マスタ・カメラ１のセルフ・タイマＬＥＤを発光させる。スレーブ・カメラ１Ａを用いてマスタ・カメラ１を撮影し，発光画像データからマスタＩＤを読みとる。読み取ったマスタＩＤと発行されたスレーブ・カメラＩＤとをスレーブ・カメラ１Ａのメモリに格納する。【選択図】　図６
2004088371.tif 000002
【特許請求の範囲】
【請求項１】
被写体を撮影し，被写体像を表す画像データを出力する固体電子撮像装置，セルフ・タイマ撮影指令が与えられたことにより発光するセルフ・タイマ・ランプおよびセルフ・タイマ撮影指令が与えられたことにより，一定時間後に被写体を撮影するように上記固体電子撮像装置を制御するセルフ・タイマ撮影制御手段をそれぞれ備えたマスタ・ディジタル・カメラとスレーブ・ディジタル・カメラとを含むディジタル・カメラ・システムにおいて，
上記マスタ・ディジタル・カメラが，
ＩＤ設定モードが設定されたことに応じて，マスタ・カメラＩＤを発行するマスタ・カメラＩＤ発行手段，および
上記マスタ・カメラＩＤ発行手段によって発行されたマスタ・カメラＩＤを表す光を発光するように上記セルフ・タイマ・ランプを制御するマスタ・ランプ制御手段を備え，
上記スレーブ・ディジタル・カメラが，
ＩＤ設定モードにおいて，スレーブ・カメラＩＤを発行するスレーブ・カメラＩＤ発行手段，
上記マスタ・ディジタル・カメラが上記マスタ・ランプ制御手段の制御のもとに発光した光を上記固体電子撮像装置によって受光し，受光した光を表すデータを出力するように上記固体電子撮像装置を制御するスレーブ出力制御手段，
上記スレーブ出力制御手段の制御により上記固体電子撮像装置から出力された受光データにもとづいて得られるマスタ・カメラＩＤを表すデータおよび上記スレーブ・カメラＩＤ発行手段によって発行したスレーブＩＤを表すデータをスレーブ・メモリに記憶するスレーブ・メモリ記憶制御手段，ならびに
上記スレーブＩＤ発行手段によって発行されたスレーブ・カメラＩＤを表す光を発光するように上記セルフ・タイマ・ランプを制御するスレーブ・ランプ制御手段を備え，
上記マスタ・ディジタル・カメラが，
上記スレーブ・ディジタル・カメラの上記スレーブ・ランプ制御手段の制御のもとに発光した光を上記固体電子撮像装置によって受光し，受光した光を表すデータを出力するように上記固体電子撮像装置を制御するマスタ出力制御手段，および
上記マスタ出力制御手段の制御により上記固体電子撮像装置から出力された受光データにもとづいて得られるスレーブ・カメラＩＤを表すデータおよび上記マスタ・カメラＩＤ発行手段によって発行したマスタＩＤを表すデータをマスタ・メモリに記憶するマスタ・メモリ記憶制御手段をさらに備えた，
ディジタル・カメラ・システム。
【請求項２】
被写体を撮影し，被写体像を表す画像データを出力する固体電子撮像装置，セルフ・タイマ撮影指令が与えられたことにより発光するセルフ・タイマ・ランプおよびセルフ・タイマ撮影指令が与えられたことにより，一定時間後に被写体を撮影するように上記固体電子撮像装置を制御するセルフ・タイマ撮影制御手段をそれぞれ備えたマスタ・ディジタル・カメラとスレーブ・ディジタル・カメラとを含むディジタル・カメラ・システムを構成するマスタ・ディジタル・カメラであって，
ＩＤ設定モードが設定されたことに応じて，マスタ・カメラＩＤを発行するマスタ・カメラＩＤ発行手段，
上記マスタ・カメラＩＤ発行手段によって発行されたマスタ・カメラＩＤを表す光を発光するように上記セルフ・タイマ・ランプを制御するマスタ・ランプ制御手段，
上記マスタ・ランプ制御手段の制御のもとに発光した光に応じて，上記スレーブ・ディジタル・カメラのセルフ・タイマ・ランプから発光したスレーブ・カメラＩＤを表す光を上記固体電子撮像装置によって受光し，受光した光を表すデータを出力するように上記固体電子撮像装置を制御するマスタ出力制御手段，ならびに
上記マスタ出力制御手段の制御により上記固体電子撮像装置から出力された受光データにもとづいて得られるスレーブ・カメラＩＤを表すデータおよび上記マスタ・カメラＩＤ発行手段によって発行したマスタＩＤを表すデータをマスタ・メモリに記憶するマスタ・メモリ記憶制御手段，
を備えたマスタ・ディジタル・カメラ。
【請求項３】
被写体を撮影し，被写体像を表す画像データを出力する固体電子撮像装置，セルフ・タイマ撮影指令が与えられたことにより発光するセルフ・タイマ・ランプおよびセルフ・タイマ撮影指令が与えられたことにより，一定時間後に被写体を撮影するように上記固体電子撮像装置を制御するセルフ・タイマ撮影制御手段をそれぞれ備えたマスタ・ディジタル・カメラとスレーブ・ディジタル・カメラとを含むディジタル・カメラ・システムを構成するスレーブ・ディジタル・カメラであって，
ＩＤ設定モードにおいて，スレーブ・カメラＩＤを発行するスレーブ・カメラＩＤ発行手段，
上記マスタ・ディジタル・カメラのセルフ・タイマ・ランプから発光されたマスタＩＤを表す光を上記固体電子撮像装置によって受光し，受光した光を表すデータを出力するように上記固体電子撮像装置を制御するスレーブ出力制御手段，上記スレーブ出力制御手段の制御により上記固体電子撮像装置から出力された受光データにもとづいて得られるマスタ・カメラＩＤを表すデータおよび上記スレーブ・カメラＩＤ発行手段によって発行したスレーブＩＤを表すデータをスレーブ・メモリに記憶するスレーブ・メモリ制御記憶手段，ならびに
上記スレーブＩＤ発行手段によって発行されたスレーブ・カメラＩＤを表す光を発光するように上記セルフ・タイマ・ランプを制御するスレーブ・ランプ制御手段，
を備えたスレーブ・ディジタル・カメラ。
【発明の詳細な説明】
【０００１】
【技術分野】
この発明は，ディジタル・カメラ・システムならびにそのシステムを構成するマスタ・ディジタル・カメラおよびスレーブ・ディジタル・カメラに関する。
【０００２】
【発明の背景】
ディジタル・スチル・カメラに代表されるディジタル・カメラ（携帯型情報機器にカメラの機能をもつものを含む）には，固有のカメラＩＤを付与することができるものがある。カメラＩＤを用いてカメラの外部からの制御，カメラＩＤを用いたユーザの確認などの応用展開が可能となる。
【０００３】
パーソナル・コンピュータをディジタル・カメラに接続し，パーソナル・コンピュータを用いてディジタル・カメラのＩＤを設定することが一般的である。しかしながら，カメラ以外の装置が必要となる。
【０００４】
【発明の開示】
この発明は，カメラ以外の装置を用いずにカメラのＩＤを設定できるようにすることを目的とする。
【０００５】
この発明は，被写体を撮影し，被写体像を表す画像データを出力する固体電子撮像装置，セルフ・タイマ撮影指令が与えられたことにより発光するセルフ・タイマ・ランプおよびセルフ・タイマ撮影指令が与えられたことにより，一定時間後に被写体を撮影するように上記固体電子撮像装置を制御するセルフ・タイマ撮影制御手段をそれぞれ備えたマスタ・ディジタル・カメラとスレーブ・ディジタル・カメラとを含むディジタル・カメラ・システムについてのものである。
【０００６】
上記マスタ・ディジタル・カメラは，ＩＤ設定モードが設定されたことに応じて，マスタ・カメラＩＤを発行するマスタ・カメラＩＤ発行手段，および上記マスタ・カメラＩＤ発行手段によって発行されたマスタ・カメラＩＤを表す光を発光するように上記セルフ・タイマ・ランプを制御するマスタ・ランプ制御手段を備えている。
【０００７】
上記スレーブ・ディジタル・カメラは，ＩＤ設定モードにおいて，スレーブ・カメラＩＤを発行するスレーブ・カメラＩＤ発行手段，上記マスタ・ディジタル・カメラが上記マスタ・ランプ制御手段の制御のもとに発光した光を上記固体電子撮像装置によって受光し，受光した光を表すデータを出力するように上記固体電子撮像装置を制御するスレーブ出力制御手段，上記スレーブ出力制御手段の制御により上記固体電子撮像装置から出力された受光データにもとづいて得られるマスタ・カメラＩＤを表すデータおよび上記スレーブ・カメラＩＤ発行手段によって発行したスレーブＩＤを表すデータをスレーブ・メモリに記憶するスレーブ・メモリ制御記憶手段，ならびに上記スレーブＩＤ発行手段によって発行されたスレーブ・カメラＩＤを表す光を発光するように上記セルフ・タイマ・ランプを制御するスレーブ・ランプ制御手段を備えている。
【０００８】
上記マスタ・ディジタル・カメラは，上記スレーブ・ディジタル・カメラが上記スレーブ・ランプ制御手段の制御のもとに発光した光を上記固体電子撮像装置によって受光し，受光した光を表すデータを出力するように上記固体電子撮像装置を制御するマスタ出力制御手段，および上記マスタ出力制御手段の制御により上記固体電子撮像装置から出力された受光データにもとづいて得られるスレーブ・カメラＩＤを表すデータおよび上記マスタ・カメラＩＤ発行手段によって発行したマスタＩＤを表すデータをマスタ・メモリに記憶するマスタ・メモリ記憶制御手段をさらに備えている。
【０００９】
ディジタル・カメラ・システムを構成するマスタ・ディジタル・カメラとスレーブ・ディジタル・カメラとをそれぞれ単独で構成するようにしてもよい。
【００１０】
また，マスタ・ディジタル・カメラの制御方法を提供するようにしてもよい。すなわち，この方法は，被写体を撮影し，被写体像を表す画像データを出力する固体電子撮像装置，セルフ・タイマ撮影指令が与えられたことにより，発光するセルフ・タイマ・ランプ，およびセルフ・タイマ撮影指令が与えられたことにより，一定時間後に被写体を撮影するように上記固体電子撮像装置を制御するセルフ・タイマ撮影制御手段をそれぞれ備えたマスタ・ディジタル・カメラとスレーブ・ディジタル・カメラとを含むディジタル・カメラ・システムを構成するマスタ・ディジタル・カメラであって，ＩＤ設定モードが設定されたことに応じて，マスタ・カメラＩＤを発行し，発行されたマスタ・カメラＩＤを表す光を発光するように上記セルフ・タイマ・ランプを制御し，発光した光に応じて，上記スレーブ・ディジタル・カメラのセルフ・タイマ・ランプから発光したスレーブ・カメラＩＤを表す光を上記固体電子撮像装置によって受光し，受光した光を表すデータを出力するように上記固体電子撮像装置を制御し，上記固体電子撮像装置から出力された受光データにもとづいて得られるスレーブ・カメラＩＤを表すデータおよび発行したマスタＩＤを表すデータをマスタ・メモリに記憶するものである。
【００１１】
さらに，スレーブ・ディジタル・カメラの制御方法を提供するようにしてもよい。すなわち，この方法は，被写体を撮影し，被写体像を表す画像データを出力する固体電子撮像装置，セルフ・タイマ撮影指令が与えられたことにより，発光するセルフ・タイマ・ランプ，およびセルフ・タイマ撮影指令が与えられたことにより，一定時間後に被写体を撮影するように上記固体電子撮像装置を制御するセルフ・タイマ撮影制御手段をそれぞれ備えたマスタ・ディジタル・カメラとスレーブ・ディジタル・カメラとを含むディジタル・カメラ・システムを構成するスレーブ・ディジタル・カメラであって，ＩＤ発行モードにおいて，スレーブ・カメラＩＤを発行し，上記マスタ・ディジタル・カメラのセルフ・タイマ・ランプから発光されたマスタＩＤを表す光を上記固体電子撮像装置によって受光し，受光した光を表すデータを出力するように上記固体電子撮像装置を制御し，上記固体電子撮像装置から出力された受光データにもとづいて得られるマスタ・カメラＩＤを表すデータおよび発光したスレーブＩＤを表すデータをスレーブ・メモリに記憶し，発行されたスレーブ・カメラＩＤを表す光を発光するように上記セルフ・タイマ・ランプを制御するものである。
【００１２】
この発明によると，マスタ・ディジタル・カメラ（マスタ・ディジタル・カメラまたはスレーブ・ディジタル・カメラであることは，ＩＤ設定モードにおいてユーザによって設定される）においてＩＤ設定モードが設定されると，マスタ・カメラＩＤが発行される。マスタ・カメラＩＤを生成してもよいし，マスタ・ディジタル・カメラにすでに付与されているＩＤをマスタ・カメラＩＤとしてもよい。発行されたマスタ・カメラＩＤを表す光がセルフ・タイマ・ランプから発光される。
【００１３】
マスタ・ディジタル・カメラのセルフ・タイマ・ランプから発光した光は，スレーブ・ディジタル・カメラの固体電子撮像装置によって受光される。受光した光を表すデータが固体電子撮像装置から出力される。出力されたデータにもとづいて，マスタ・カメラＩＤを表すデータが得られる。得られたマスタ・カメラＩＤを表すデータおよび発行されたスレーブＩＤを表すデータがスレーブ・ディジタル・カメラのスレーブ・メモリに記憶される。また，スレーブＩＤを表す光がスレーブ・ディジタル・カメラのセルフ・タイマ・ランプから発光される。
【００１４】
マスタ・ディジタル・カメラの固体電子撮像装置において，スレーブ・ディジタル・カメラのセルフ・タイマ・ランプから発光した光が受光され，受光した光を表すデータが出力される。出力されたデータにもとづいて得られるスレーブ・カメラＩＤおよび発行されたマスタ・カメラＩＤがマスタ・ディジタル・カメラのマスタ・メモリに記憶される。
【００１５】
マスタ・ディジタル・カメラとスレーブ・ディジタル・カメラとの２つのディジタル・カメラを用いることにより，パーソナル・コンピュータなどのようなカメラ以外の装置を用いることなく，カメラのＩＤを設定することができる。とくに，ディジタル・カメラに通常設けられている固体電子撮像装置およびセルフ・タイマ・ランプを用いるので，新たな回路等を設ける必要がない。ディジタル・カメラが複雑化することもコスト・アップすることも未然に防止することができる。
【００１６】
上記においては，固体電子撮像装置を用いてセルフ・タイマ・センサにより発光した光を受光しているが，ストロボ発光装置の調光センサが設けられているディジタル・カメラであれば，調光センサを用いるようにしてもよい。
【００１７】
【実施例の説明】
図１は，この発明の実施例を示すもので，ディジタル・スチル・カメラを前面から見た斜視図である。
【００１８】
ディジタル・スチル・カメラ１の上面には，そのほぼ中央にポップアップ式のストロボ発光装置２が設けられている。また，前面から見て左側にはシャッタ・レリーズ・ボタン３が設けられている。
【００１９】
ディジタル・スチル・カメラ１の前面において，ほぼ中央の上部には前面に突き出た鏡筒６が形成されている。この鏡筒６の前面からはズーム・レンズ６Ａが露出している。前面から見て鏡筒６の左上には，ストロボ発光装置２の発光量を一定に保つための調光センサ４が設けられている。また，鏡筒６の右上には，光学的ビューファインダ５が形成されている。鏡筒６の右下には，セルフ・タイマ撮影のときに点滅および点灯するセルフ・タイマＬＥＤ（ｌｉｇｈｔ　ｅｍｉｔｔｉｎｇ　ｄｉｏｄｅ）７が形成されている。
【００２０】
図２は，ディジタル・スチル・カメラ１を背面から見た斜視図である。
【００２１】
ディジタル・スチル・カメラ１の背面において，左上部に上述した光学的ビュー・ファインダ５が形成されている。右上部には，左矢印，右矢印，上矢印および下矢印が押下可能に形成されている上下左右ボタン８が設けられている。この上下左右ボタン８の左側には，後述するようにＩＤ設定モードを設定するためのＩＤ設定モード・スイッチ９および再生モードまたは撮影モードを設定するための再生／撮影モード設定スイッチ１０が設けられている。ＩＤ設定モード・スイッチ９は，オフ，マスタおよびスレーブの３つのいずれかの位置の位置決めすることができる。上下左右ボタン８の下には，電源ボタン１１が設けられている。さらに，ディジタル・スチル・カメラ１の背面においてその下部には，液晶表示画面１２が形成されている。
【００２２】
図３は，ディジタル・スチル・カメラ１の電気的構成を示すブロック図である。
【００２３】
ディジタル・スチル・カメラ１の全体の動作は，メインＣＰＵ４０によって統括される。
【００２４】
上述したように，上下左右ボタン８，ＩＤ設定スイッチ９，撮影／再生モード設定スイッチ１０，シャッタ・レリーズ・ボタン３および電源スイッチ１１からの出力信号は，メインＣＰＵ４０に入力する。
【００２５】
メインＣＰＵ４０には，所定のデータを記憶するメモリ４１が接続されている。このメモリ４１に後述するようにカメラに特有のカメラＩＤが記憶される。
【００２６】
ディジタル・スチル・カメラ１には，上述したようにストロボ発光装置２が設けられている。このストロボ発光装置２は，充電／発光制御回路２８によって充電および発光が制御される。充電／発光制御回路２８は，測光／測距ＣＰＵ２７によって制御される。また，調光センサ４からの出力信号は測光／測距ＣＰＵ２７に入力する。
【００２７】
測光／測距ＣＰＵ２７によってズーム・レンズ６Ａのズーム量および絞り２２の絞り量が調整される。
【００２８】
また，ディジタル・スチル・カメラ１には，クロック・ジェネレータ２９が含まれており，このクロック・ジェネレータ２９から各種クロック・パルスが出力される。クロック・パルスは，ＣＣＤ２３，白バランス／γ処理回路２４およびアナログ／ディジタル変換回路２５に与えられる。
【００２９】
撮影／再生モード設定スイッチ１０により，撮影モードが設定されると，ＣＣＤ２３の受光面上に被写体像が結像する。ＣＣＤ２３から被写体像を表す映像信号が出力され，白バランス／γ処理回路２４に入力する。白バランス／γ処理回路２４において，白バランス調整およびガンマ補正処理が行われる。白バランス／γ処理回路２４から出力された映像信号は，アナログ／ディジタル変換回路２５に入力する。アナログ／ディジタル変換回路２５において映像信号がディジタル画像データに変換される。変換されたディジタル画像データは，バッファ・メモリ２６を単に通過してＹＣ処理回路３０に入力する。
【００３０】
ＹＣ処理回路３０において，入力した画像データから輝度データＹおよび色差データＣが生成される。生成された輝度データＹおよび色差データＣは，ＹＣ／ＲＧＢ処理回路４２において，Ｒ（赤），Ｇ（緑）およびＢ（青）のそれぞれのＲＧＢ画像データに変換される。変換されたＲＧＢ画像データは，ドライバ４３に与えられる。ドライバ４３によって液晶表示装置１２（液晶表示装置１２も液晶表示画面と同一符号を付す）の表示画面に撮影された被写体像が表示されることとなる。
【００３１】
シャッタ・レリーズ・ボタン３が押されると，上述のようにしてＹＣ処理回路３０において生成された輝度データＹおよび色差データＣは，バッファ・メモリ２６に与えられ，一時的に記憶される。輝度データＹおよび色差データは，バッファ・メモリ２６から読みとられ，圧縮／伸長回路３１に入力する。圧縮／伸長回路３１において，輝度データＹおよび色差データＣが圧縮される。圧縮された輝度データＹおよび色差データＣがインターフェイス３２に接続されているメモリ・カード３３に記録される。
【００３２】
上下左右ボタン８を用いて液晶表示画面１２にメニュー画像を表示させて，セルフ・タイマ撮影を設定できる。セルフ・タイマ撮影が設定されることにより，シャッタ・レリーズ・ボタン３が押された後，一定時間後に被写体が撮影される。撮影により得られた画像データがメモリ・カード３３に記録される。
【００３３】
ディジタル・スチル・カメラ１は，再生機能も備えており，撮影／再生モード・スイッチ１０により再生モードが設定されたことに応じてメモリ・カード３３に記録されている圧縮画像データが読みとられる。
【００３４】
読みとられた圧縮画像データは，圧縮／伸長回路３１において伸長され，ＹＣ／ＲＧＢ処理回路４２に与えられる。ＹＣ／ＲＧＢ処理回路４２において，ＲＧＢ画像データに変換され，ドライバ４３に与えられる。液晶表示装置１２の表示画面上にメモリ・カード３３に記録されている画像データによって表される画像が表示される。
【００３５】
図４および図５は，メモリ４１に記憶されるＩＤテーブルの一例である。図４はマスタＩＤテーブルの例であり，図５はスレーブＩＤテーブルの例である。
【００３６】
この実施例によるディジタル・スチル・カメラ１は，上述したようにカメラＩＤをメモリ４１に記憶することができる。カメラＩＤは，ディジタル・スチル・カメラをマスタ・カメラとした場合のマスタＩＤと，ディジタル・スチル・カメラをスレーブ・カメラとした場合のスレーブＩＤとがある。マスタ・カメラは，スレーブ・カメラに動作指示を与えることができるもので，スレーブ・カメラはマスタ・カメラの指示にもとづいて制御されるものである。
【００３７】
ディジタル・スチル・カメラ１がマスタ・カメラとして設定されると，メモリ４１には図４に示すマスタＩＤテーブルが記憶される。ディジタル・スチル・カメラ１がスレーブ・カメラとして設定されると，メモリ４１には図５に示すスレーブＩＤが記憶される。
【００３８】
マスタＩＤテーブルおよびスレーブＩＤテーブルのいずれにおいてもＩＤテーブルには，自己のカメラＩＤが格納されるセルフＩＤの欄，自己のディジタル・スチル・カメラがマスタであるかスレーブであるかを示すマスタ／スレーブ欄，自己がマスタ・カメラであるときのスレーブＩＤを格納するスレーブＩＤ欄，自己がスレーブ・カメラであるときのマスタＩＤを格納するマスタＩＤ欄が含まれている。
【００３９】
マスタ・カメラであるときには，マスタＩＤテーブルのマスタＩＤ欄は空欄となる。スレーブ・カメラであるときには，スレーブＩＤテーブルのスレーブＩＤ欄は空欄となる。
【００４０】
図６は，カメラＩＤを設定するときのディジタル・スチル・カメラ１の配置を示している。図７は，ＩＤ設定モードのディジタル・スチル・カメラの処理手順を示すフローチャートである。
【００４１】
カメラＩＤを設定するときには，２台のディジタル・スチル・カメラ１および１Ａが用意される。ディジタル・スチル・カメラ１Ａは，ディジタル・スチル・カメラ１と同じものである。
【００４２】
２台のディジタル・スチル・カメラ１と１Ａとが互いに前面が向き合うように配置される。一方のディジタル・スチル・カメラ１をマスタ・カメラ，他方のディジタル・スチル・カメラ１Ａをスレーブ・カメラとする。ディジタル・スチル・カメラ１のＩＤ設定モード・スイッチ９はマスタ位置に，ディジタル・スチル・カメラＡのＩＤ設定モード・スイッチ９はスレーブ位置に設定される（ステップ６１，７１）。
【００４３】
マスタ・カメラ１においてＩＤ設定スイッチ９がマスタ位置に設定されると，カメラに固有のマスタ・カメラＩＤが生成される（ステップ６２）。また，スレーブ・カメラ１ＡにおいてＩＤ設定スイッチ９がスレーブ位置に設定されると，カメラに特有のスレーブ・カメラＩＤが生成される（ステップ７２）。これらのマスタ・カメラＩＤおよびスレーブ・カメラＩＤは，互いに一致しないようにたとえば，工場においてあらかじめ付与されている特有の番号等利用することとなろう。もっとも，その特有の番号自体をカメラＩＤとして利用するようにしてもよい。
【００４４】
マスタ・カメラ１において，生成されたマスタ・カメラＩＤを表す光がセルフ・タイマＬＥＤ７から発光される（ステップ６３）。たとえば，マスタ・カメラＩＤを表すように発光光量，発光間隔，発光時間等が制御される。
【００４５】
スレーブ・カメラ１Ａにおいては，マスタ・カメラ１が一定時間の間撮影され，マスタ・カメラ１の像を表す画像データが得られ，メモリ４１に一時的に記憶される（ステップ７３）。得られた画像データの中から，マスタ・カメラ１のセルフ・タイマＬＥＤの発光画像を表すデータが抽出される（ステップ７４）。抽出された発光画像データからマスタ・カメラＩＤが読み取られる（ステップ７５）。読みとられたマスタ・カメラＩＤがスレーブＩＤテーブルに格納される。また，ステップ７２で生成されたスレーブ・カメラＩＤがセルフＩＤとして，スレーブＩＤテーブルに格納される。スレーブＩＤテーブルがスレーブ・カメラ１Ａのメモリ４１に記憶される（ステップ７６）。
【００４６】
さらに，スレーブ・カメラＩＤを表す光がスレーブ・カメラ１Ａのセルフ・タイマＬＥＤから発光される（ステップ７７）。
【００４７】
マスタ・カメラ１においてもスレーブ・カメラ１Ａと同様に，スレーブ・カメラ１Ａが一定時間の間撮影され，スレーブ・カメラ１Ａの像を表す画像データが得られる（ステップ６４）。得られた画像データの中から，スレーブ・カメラ１Ａのセルフ・タイマＬＥＤの発光画像を表すデータが抽出される（ステップ６５）。抽出された発光画像データからスレーブ・カメラＩＤが読み取られる（ステップ６６）。読みとられたマスタ・カメラＩＤがスレーブＩＤテーブルに格納される。また，ステップ６２で生成されたマスタ・カメラＩＤがセルフＩＤとして，マスタＩＤテーブルに格納される。マスタＩＤテーブルがマスタ・カメラ１のメモリ４１に記憶される（ステップ６７）。
【００４８】
上述した実施例においては，一方のディジタル・スチル・カメラのＣＣＤ２３を用いて他方のディジタル・スチル・カメラを撮影し，セルフ・タイマＬＥＤの発光画像データを抽出しているが，ＣＣＤを用いずに調光センサ４によりセルフ・タイマＬＥＤから出射される光を受光するようにしてもよい。この場合には，受光したセルフ・タイマＬＥＤの光量にもとづいて，カメラＩＤを検出することとなろう。
【図面の簡単な説明】
【図１】ディジタル・スチル・カメラを前面から見た斜視図である。
【図２】ディジタル・スチル・カメラを背面から見た斜視図である。
【図３】ディジタル・スチル・カメラの電気的構成を示すブロック図である。
【図４】マスタＩＤテーブルの一例である。
【図５】スレーブＩＤテーブルの一例である。
【図６】ＩＤ設定モードにおけるマスタ・カメラとスレーブ・カメラの配置である。
【図７】ＩＤ設定モードにおけるマスタ・カメラとスレーブ・カメラの処理手順を示すフローチャートである。
【符号の説明】
１　マスタ・カメラ，
１Ａ　スレーブ・カメラ
４　調光センサ
７　セルフ・タイマＬＥＤ
９　ＩＤ設定モード・スイッチ
１２　液晶表示装置（液晶表示画面）
２３　ＣＣＤ
４０　メインＣＰＵ
４１　メモリ
【図１】
2004088371.tif 000003
【図２】
2004088371.tif 000004
【図３】
2004088371.tif 000005
【図４】
2004088371.tif 000006
【図５】
2004088371.tif 000007
【図６】
2004088371.tif 000008
【図７】
2004088371.tif 000009